(57)【特許請求の範囲】
【請求項１】
円環状をなすカッタ本体（２）の内周又は外周に切れ刃（４）を有するクランクシャフト加工用のピンミラーカッタ（１）と、そのピンミラーカッタ（１）を保持するアダプタ（７）を、相互嵌め込み部に周方向に定ピッチで対応して設けた噛み合い用の凸部（５）と凹部（８）をテーパ嵌合させて同心的に着脱自在に組み合わせて構成されるピンミラーカッタのアダプタへの取付構造において、
前記カッタ本体（２）とアダプタ（７）に、間違って組み合わされたカッタとアダプタの正常な嵌合を阻止する誤装着防止機構（１０）を設け、その誤装着防止機構（１０）を、径方向の突起（１１）とその突起に対応した溝（１２）で構成し、この突起（１１）と溝（１２）のいずれか一方をカッタ側の嵌め込み部に、他方をアダプタ側の嵌め込み部にそれぞれ設け、さらに、前記突起（１１）の設置数を１個とし、前記溝（１２）を前記噛み合い用の凸部（５）と凹部（８）の設置ピッチと同一ピッチ又は整数倍のピッチで複数設けたことを特徴とするピンミラーカッタのアダプタへの取付構造。
【請求項２】
前記突起（１１）を、着脱可能なキャップスクリューまたは着脱可能なピンで構成した請求項１に記載のピンミラーカッタのアダプタへの取付構造。
【請求項３】
前記溝（１２）を、カッタ本体（２）又はアダプタ（７）の一面から他面に切り抜ける通し溝にした請求項１又は２に記載のピンミラーカッタのアダプタへの取付構造。
【発明の詳細な説明】
【技術分野】
【０００１】
この発明は、クランクシャフト加工用のピンミラーカッタをアダプタに取付けるための取付構造に関する。
【背景技術】
【０００２】
首記のピンミラーカッタとして、例えば、下記特許文献１〜４に開示されたものなどが知られている。
【０００３】
特許文献１〜４に開示されたピンミラーカッタは、いずれも内周に切れ刃を有する円環状のカッタを外周に配置されるアダプタと組み合わせて構成されている。カッタは、カッタ本体の内周に刃先交換式チップを装着してそのチップのエッジで切れ刃を構成している。また、カッタ本体の外周面に複数個のテーパスプラインを周方向に定ピッチで設け、アダプタに対するカッタ差込み方向前方に向かって幅を狭めたそのテーパスプラインをアダプタの内周面に対応して設けたスプライン溝に挿入してカッタをアダプタに同心的に嵌合させ、半月押え金を用いたクランパで締付けてしてアダプタに着脱自在に装着するようにしている。
【０００４】
ところで、ピンミラーカッタによる加工は、ユーザニーズの多様化に対応するために、被加工部の寸法、形状が類似した加工を同一工場で行うことが非常に多い。通常、カーメーカーの生産ラインでは寿命に達したチップの刃先交換を、専門の部署で選任のオペレータが実施するが、刃先交換を完了したカッタの中に似通った形状のものが存在すると、不適正なカッタを誤って加工設備のアダプタに装着することが考えられ、その場合、加工品が全て不良品になる。
【０００５】
カッタとアダプタに互いに噛み合うテーパスプラインとテーパ溝を設けたピンミラーカ
ッタは、リピート製作に対応する必要上、ゲージ検査によって噛み合い部（テーパ嵌合部
）の嵌合精度を保証する場合が多く、その高精度噛み合い部を設けるものは、テーパスプ
ラインとスプライン溝の幅、外径、形状などを異ならせることによって不適正なカッタが
間違ってアダプタに装着されることを防止することができるが、その方法を採ると、噛み
合い部の型式が増加し、ゲージ検査の手間、製作コスト、管理などに問題が生じる。
【特許文献１】特許第２８６１８２８号公報
【特許文献２】特開２００４−２８３９３４号公報
【特許文献３】特開２００４−２８３９３５号公報
【特許文献４】特開２００４−３１４１９４号公報
【発明の開示】
【発明が解決しようとする課題】
【０００６】
そこで、この発明は、品種の異なるカッタが似通っていても、また、そのカッタのアダプタとの噛み合い部が共通していても、アダプタに対するカッタの取り付け間違いが起こらないようにすることを課題としている。
【課題を解決するための手段】
【０００７】
上記の課題を解決するため、この発明においては、円環状カッタ本体の内周又は外周に切れ刃を有するカッタと、そのカッタを保持するアダプタを、相互嵌め込み部に周方向に定ピッチで対応して設けた噛み合い用の凹凸をテーパ嵌合させて同心的に着脱自在に組み合わせて構成されるクランクシャフト加工用のピンミラーカッタを改善の対象にして、カッタの本体とアダプタに、間違って組み合わされたカッタとアダプタの適正な嵌合を阻止する誤装着防止機構を設けた。
【０００８】
ピンミラーカッタには、円環状をなすカッタ本体の内周側に切れ刃を有するインターナルピンミラーカッタと、カッタ本体の外周側に切れ刃を有するエクスターナルピンミラーカッタがある。インターナルピンミラーカッタではアダプタの内周側に、エクスターナルピンミラーカッタではアダプタの外周側にそれぞれカッタが装着される。従って、インターナルピンミラーカッタにおいてはカッタ本体の外周面とアダプタの内周面が上記の相互嵌め込み部となり、一方、エクスターナルピンミラーカッタにおいてはアダプタの外周面とカッタ本体の内周面が上記の相互嵌め込み部となる。
【０００９】
カッタとアダプタの噛み合い用の凹凸は、前掲の特許文献１〜４が開示しているテーパスプラインとスプライン溝を組み合わせたものでよい。
【００１０】
なお、この発明で設ける誤装着防止機構は、径方向の突起とその突起に対応した溝で構
成されるものとする。
【００１１】
また、その突起と溝は、いずれか一方をカッタ側の嵌め合い面に、他方をアダプタ側の嵌め合い面にそれぞれ設ける。前記突起は、着脱可能なキャップスクリューまたは着脱可能なピンで構成されるものが好ましく、前記溝は、カッタ本体又はアダプタの一面から他面に切り抜ける通し溝が好ましい。
【００１２】
また、誤装着防止の目的は前記突起と溝を対応した位置に各１個設けるだけでも達成さ
れるが、この発明では、突起の設置数を１個とし、溝を前記噛み合い部の設置ピッチと同一ピッチ又は整数倍のピッチで複数設ける。
【発明の効果】
【００１３】
この発明のピンミラーカッタのアダプタへの取付構造によれば、カッタとアダプタを間違って組み合わせると誤装着防止機構によってカッタとアダプタの適正な嵌合が妨げられる。従って、カッタとアダプタの噛み合い部を共通化してもカッタの誤装着は起こらず、誤装着防止のために製作の手間、コスト、管理面などで不利になる方法を採る必要がなくなる。
【００１４】
誤装着防止機構を対応した突起と溝で構成したので、構造が複雑にならず、その機構
の加工、設置もしやすい。
【００１５】
また、突起を着脱可能なキャップスクリューやピンで構成したものは、アダプタに取付ける突起を溝との嵌合部のサイズが異なるものと交換したり、その突起の取り付け位置を異ならせたりすることによって同一アダプタを仕様の異なるカッタと組み合わせることが可能になる。これによって、カッタを種類の異なるものと交換するときにアダプタを交換する必要がなくなり、アダプタの種類の統合が図れる。
【００１６】
このほか、突起を挿入する溝を通し溝にしたものはその溝の加工がしやすい。また、突
起の設置数を１個にし、溝を噛み合い部の設置ピッチと同一ピッチ又は整数倍のピッチで
複数設けたことにより、カッタとアダプタの噛み合い部の噛み合い位置を変えても誤装着防止機構を構成する突起と溝が互いに嵌りあうので、アダプタに対するカッタの取り付け姿勢が規制されない。
【発明を実施するための最良の形態】
【００１７】
以下、この発明のピンミラーカッタのアダプタへの取付構造の実施の形態を添付図面の図１〜図１０に基づいて説明する。例示のカッタはインターナルピンミラーカッタであり、図示の取付構造は、このピンミラーカッタ１（以下では単にカッタと言う）と、そのカッタ１を内径側に嵌めて保持するアダプタ７を組み合わせて構成されている。カッタ１は、円環状をなすカッタ本体２の内周側に刃先交換式チップ３を装着し、そのチップ３のエッジで切れ刃４を構成している。刃先交換式チップ３は、複数個のチップをクランクシャフトの被削域を分担切削するように組み合わせて用いており、切削によって傷んだエッジを入れ替え、切れ刃４となるエッジを全て使いきると新しいものと交換される。
【００１８】
カッタ本体２の外周には、アダプタ７に噛み合わせる外径側に突出した凸部５を周方向に定ピッチで設けている。その凸部５は、アダプタ７に対するカッタ挿入方向前方側に向かって幅を狭くした図示のテーパスプラインがアダプタ７との高い嵌合精度を確保できて好ましい。
【００１９】
ひとつおきの凸部５には、カッタ本体２のアダプタ７に対する挿入方向後方の側面２ｂに座溝６を設けており、その座溝６に、後述するクランパ９の半月押え金９ａを係止させる。
【００２０】
アダプタ７の内周面には、カッタの凸部５に対応させた凹部（スプライン溝）８を凸部５と同一ピッチで同数設けている。また、アダプタ７の一面側には、ひとつ置きの凹部（スプライン溝）形成部に、アダプタ７に対してカッタ１を固定するためのクランパ９を設けている。そのクランパ９は、カッタ１に設けた座溝６に係止させる半月押え金９ａと、その半月押え金９ａを締付けるクランプボルト９ｂと、クランプボルト９ｂ操作時に半月押え金９ａの共回り（ボルト締付け時には座溝６に係合した位置からの共回り、ボルト緩め時には座溝６から外れた位置からの共回り）を防止するストッパ９ｃとで構成される図示のクランパがカッタの着脱性に優れて好ましい。半月押え金９ａをクランプボルト９ｂを支点にしてほぼ９０°回転させるとその半月押え金９ａの座溝６に対する係合が解け、カッタ１を着け外しすることができる。
【００２１】
カッタ１は、カッタ本体２の外周に設けた凸部５をアダプタ７に設けた凹部８に挿入してアダプタ７の内径側に装着される。凸部５と凹部８、即ち、テーパスプラインとスプライン溝は互いにテーパ嵌合し、そのテーパ嵌合部の作用でカッタ１がアダプタ７の中心に正確に高精度に芯出しされる。
【００２２】
以上の構成は、前掲の特許文献１などに開示されており、新規なものではない。例示のピンミラーカッタのアダプタへの取付構造には、アダプタ７に対するカッタ１の誤装着防止機構１０を設けており、ここにこの発明の特徴がある。
【００２３】
誤装着防止機構１０は、アダプタ７に設ける突起１１と、カッタ本体２に設ける溝１２とで構成されるものを示した。例示のピンミラーカッタは、突起１１の設置数を１個とし、クランパ９、９間に設けられる凹部８のうち任意の１箇所の凹部８の部分にその突起１１を配置している。一方、溝１２は、カッタ本体２の外周の座溝６を設けていない凸部５の外径側の面に設けている。その溝１２は、一端がカッタ本体２のアダプタに対する挿入方向前方の側面２ａに開放し他端が行き止まりになっている溝（図８参照）、カッタ本体２の一方の側面２ａから他方の側面２ｂに切り抜ける通し溝（図９参照）のどちらであってもよい。後者の通し溝の方が加工しやすいが、どちらの溝も、誤装着防止に関する機能には差がない。
【００２４】
突起１１は、着脱可能なキャップスクリュー（図示の六角穴付きボルトや六角穴付きボタンボルトなど）や着脱可能なピンで構成すると好ましい。突起の着け外しができると、アダプタ７に取付ける突起１１を溝１２との嵌合部のサイズが異なるものと交換することができる。また。その突起の取り付け位置を図１０に示すように異ならせることによって同一アダプタを仕様の異なるカッタと組み合わせることが可能になる（同一アダプタに突起取付け用の孔を位置を変えて複数設けておけば突起取付け位置を変更することが可能）。これによって、カッタ１を種類の異なるものと交換するときにアダプタ７を交換する必要がなくなる。
【００２５】
また、例示のピンミラーカッタは突起１１を１個にし、溝１２をカッタ本体２の外周の座溝６を設けていない凸部５の全てに設けており、凸部５と凹部８の噛み合い位置が変わっても誤装着防止機構１０を構成する突起１１と溝１２が互いに嵌り合う。そのため、アダプタ７に対するカッタ１の取り付け姿勢が規制されることがなく、アダプタに対するカッタの装着を楽に行える。
【００２６】
なお、突起１１と溝１２は、円滑な嵌合のために溝１２の周方向幅を突起１１の周方向幅よりも０．１〜１．０ｍｍ程度大きくし、さらに、溝１２の深さを突起１１の突出量よりも０．１〜１．０ｍｍ程度大きくするのがよい。
【００２７】
また、突起１１と溝１２はその位置関係を例示のものとは逆にして突起１１をカッタ本体２に、溝１２をアダプタ７にそれぞれ設けてもよい。凸部５と凹部８の嵌合部を避けた位置を選んでそこに突起１１と溝１２を設けることも制限されない。
【００２８】
さらに、以上の説明はインターナルピンミラーカッタを例に挙げて行ったが、この発明は、エクスターナルピンミラーカッタの取付けにも適用できる。
【図面の簡単な説明】
【００２９】
【図１】この発明の取付構造の実施形態を示す部分破断正面図
【図２】図１の取付構造の分解斜視図
【図３】図１の取付構造の断面図
【図４】図１の取付構造に用いたアダプタの正面図
【図５】図１の取付構造に用いたカッタの側面図
【図６】図１の取付構造に用いたカッタの図５とは反対側の側面図
【図７】誤装着防止機構を構成する突起と溝の係合状態を示す断面図
【図８】誤装着防止機構を構成する突起と溝の組み合わせの一例を示す図
【図９】誤装着防止機構を構成する突起と溝の組み合わせの他の例を示す図
【図１０】誤装着防止機構を構成する突起と溝の組み合わせのさらに他の例を示す図
【符号の説明】
【００３０】
１          カッタ
２          カッタ本体
２ａ、２ｂ  側面
３          刃先交換式チップ
４          切れ刃
５          凸部（テーパスプライン）
６          座溝
７          アダプタ
８          凹部（スプライン溝）
９          クランパ
９ａ        半月押え金
９ｂ        クランプボルト
９ｃ        ストッパ
１０        誤装着防止機構
１１        突起
１２        溝
【図１】
0004704202.tif 000002
【図２】
0004704202.tif 000003
【図３】
0004704202.tif 000004
【図４】
0004704202.tif 000005
【図５】
0004704202.tif 000006
【図６】
0004704202.tif 000007
【図７】
0004704202.tif 000008
【図８】
0004704202.tif 000009
【図９】
0004704202.tif 000010
【図１０】
0004704202.tif 000011